(57)【要約】【課題】  歯の根管の切削や神経を抜く作業が容易に行い得るようにすることにより、歯科医師の疲労を少なくして集中力が持続できるような切削用具を提供する。【解決手段】  ハンドル側筐体１０の内部の先端部に、重錘２１を有するモータ２が収められている。首を傾げた形状の振動側筐体１２の後側には、ハンドル側筐体１０の先端部に装着可能な装着部１３が設けられている。また振動側筐体１２の前側には、リーマ３の挿着部３０を受け入れて、これをきつく保持することが可能な挿着穴１４が設けられている。二次電池２４の電力で駆動されるモータ２が発生する振動は、リーマ３の針部３１に伝達される。なおリーマ３は振動側筐体１２に対して取り換えが可能である。【選択図】図１
2018192222.tif 000002
【特許請求の範囲】
【請求項１】
筐体と、該筐体内に収められた電動式振動発生部と、前記筐体に設けられた歯の切削用のリーマの着脱部と、から成るリーマ用の電動式駆動具。
【請求項２】
前記着脱部が前記リーマを締め付けて止めるための脱落防止部を備えている、請求項１に記載のリーマ用の電動式駆動具。
【請求項３】
前記着脱部が前記筐体に対して回動自在である、請求項１に記載のリーマ用の電動式駆動具。
【請求項４】
前記電動式振動発生部が、電動モータと該電動モータの回転軸に偏心状態で取り付けられた偏心重錘とから成る、請求項１に記載のリーマ用の電動式駆動具。
【請求項５】
前記筐体が歯を照らすための照明部を備えている、請求項１に記載のリーマ用の電動式駆動具。
【請求項６】
請求項１から請求項５の何れか一に記載のリーマ用の電動式駆動具が、歯の切削用のリーマを備えている、リーマ付きの電動式駆動具。
【発明の詳細な説明】
【技術分野】
【０００１】  この発明は、電気的に振動を発生させてリーマを駆動し、歯の虫歯となっている部分を綺麗に処置するための、電動式の歯の切削具に関するものである。なお本発明で言う所のリーマは、厳密にはリーミングのためのリーマとファイリングのためのファイルとを含むが、これ以外の歯の切削用具を含むことが出来る。
【背景技術】
【０００２】  歯科医師が患者の虫歯の根の壁面をこそぎ取ったり、根の先に詰まっている膿の塊や、以前の治療の跡である充填材を取り去ったり、神経を抜くなどの根の治療を行うに当たっては、リーマと呼称される切削用具を用いるのが一般的である。これには上述したようにリーマとファイルとが含まれ、リーマはリーミング（ねじる）から、ファイルはファイリング（上下運動）から名付けられたものである。これ等は用途やサイズによって柄に色分けが為されたり記号や数字が記載されたりしている。なおこのような根管治療には根管長測定器が併用されることが多い。【０００３】  上述したような歯の神経の治療方法については下記インターネットサイトの記事が分かりやすい。
【先行技術文献】
【特許文献】
【０００４】
【非特許文献１】インターネットＷＷＷサイト＜ＵＲＬ：ｈｔｔｐ：／／ｍｕｓｈｉｂａ−ｌａｂｏ．ｃｏｍ／？ｐ＝１０１３３＞
【発明の概要】
【発明が解決しようとする課題】
【０００５】  しかしながら、リーミングのためのリーマを操作したりファイリングのためのファイルを操作して、神経を抜いたりするのに際し、小さな柄に細い金属針が設けられたリーマ・ファイルでは、指先だけで扱うにはサイズが小さくまた指先の動きの繊細さが要求され、長時間の治療はとても疲れるものとなっている。仮に指先が不器用であったり、そうでなくとも疲労が増してきたりすると、不覚にもリーマの先を折ってしまったり、それを根管に残してしまったりするような問題を生ずるケースもある。【０００６】  この発明の目的は上述したような問題点を解決して、歯の根管の切削や神経を抜く作業が容易に行い得るようにすることにより、歯科医師の疲労を少なくして集中力が持続できるような、そうした切削用具を提供することにある。
【課題を解決するための手段】
【０００７】  上記課題は、筐体と、該筐体内に収められた電動式振動発生部と、前記筐体に設けられた歯の切削用のリーマの着脱部と、から成るリーマ用の電動式駆動具とすることによって達成される。【０００８】  電動式振動発生部として、例えば電動モータの回転軸に重錘を偏心状態で取り付けたもの（偏心重錘）では、電動モータを回転駆動させると振動が発生して、電動モータを収めた筐体が振動する。すると上記歯の切削用のリーマは着脱部により筐体に設けられているため、電動モータの振動は切削用のリーマに伝えられる。従って歯科医師は自己の指だけで根管を切削するのではなく、電動モータの振動の助けを得ることが出来るようになるため、施術に無理をしなくて済むようになり、疲労が少なく集中力を持続させて作業することが可能となる。これはより良い歯科治療のための大きな助けとなる。【０００９】  なお電動モータとしてはリニアモータを利用することも可能である。また上記電動式振動発生部が超音波振動発生装置であるものとすることが出来る。これによれば超音波振動が歯の切削用のリーマに伝達される。何れも比較的容易に電動式振動を発生する。【００１０】  この歯の切削用のリーマは着脱部により交換可能となっているため、治療の種類や虫歯部分の大きさなどに応じて適宜付け替えることが出来る。この場合、市販のリーマをそのまま用いるように設計することも可能であり、これは好ましいことである。【００１１】  この着脱部に付いて、前記リーマを締め付けて止めるための脱落防止部を備えているものとしても良い。上述したようにリーマは回転重錘からの振動を受けている。そのことが脱落防止と言う観点から重要になるのであれば、例えば螺子止めなどによって脱落しにくくなるように工夫すれば良い。【００１２】  次に前記着脱部が前記筐体に対して回動自在であるものとしても良い。歯科医師は筐体を握った時に、リーマが都合良く根管に入り込むように指先で着脱部の筐体に対する角度を調節することが出来る。【００１３】  また前記筐体が歯を照らすための照明部を備えているものとしても良い。根管長測定器などと共に治療の精度を高めることに寄与する。【００１４】  さて上記課題は、請求項１から請求項５の何れか一に記載のリーマ用の電動式駆動具が歯の切削用のリーマを備えている、リーマ付きの電動式駆動具とすることによっても解決される。すなわち上述したような電動式駆動具にリーマが備わっているものである。
【発明の効果】
【００１５】  この発明によれば、筐体と該筐体内に収められた電動式振動発生部と、前記筐体に設けられた歯の切削用のリーマの着脱部と、から成るリーマ用の電動式駆動具を提供することによって、電動式振動発生部の振動の助けを得て根管を切削したり神経を抜いたりすることが出来るようになった。これにより施術で無理をしなくて済むようになり、疲労が少なく集中力を持続させて施術を行うことが可能となる効果を奏する。
【図面の簡単な説明】
【００１６】
【図１】  実施例１の一部を切欠して表した説明図である。
【図２】  この回路部分を模式的に表した説明図である。
【図３】  実施例２の説明図である。
【図４】  この回路部分を模式的に表した説明図である。
【図５】  実施例３の回路部分を模式的に表した説明図である。
【図６】  実施例４の説明図である。
【図７】  実施例５の説明図である。
【発明を実施するための形態】
【００１７】  以下ではこの発明の５種の実施例を説明するが、この発明はこれ等に限定されるものではない。
【実施例１】
【００１８】  図１及び図２で表したこの実施例のリーマ３用の電動式駆動具１は、電源スイッチ２３を押下すると、ハンドル側筐体１０の内部に収められた二次電池２４（図１では示さず）からの電力の供給を受けたモータ２が駆動されるようにシンプルに構成されている。なおリーマ３（実施例では指先で操作することも可能な市販品を用いている）は挿着部３０と針部３１とから成る。【００１９】  モータ２の回転軸２０には重錘２１が偏心状態で取り付けられており、この回転軸２０の回転に伴って振動を発生する。符号２２はこのモータ２に二次電池２４と電源スイッチ２３とを結ぶリード線を繋ぐ接続端子を示す。電源スイッチ２３が１回押下される毎に、二次電池２４から電力の供給を受けたモータ２がＯＮ／ＯＦＦを順次繰り返すように構成されている。この重錘２１を有するモータ２はハンドル側筐体１０の先端部の内部に収められている。一方首を傾げた形状の振動側筐体１２の後側には、上記ハンドル側筐体１０の先端部に装着可能な装着部１３が設けられている。また振動側筐体１２の前側には上記リーマ３の挿着部３０を受け入れてきつく保持することが可能な挿着穴１４が設けられている。このように挿着穴１４はリーマ３を着脱することが自在ではあるものの、重錘２１の振動くらいでは挿着穴１４から外れることが難しい程度にきつく装着されるようになっている。なお上記電源スイッチ２３はハンドル側筐体１０の底部に設けられており、両側には上記二次電池２４の充電のための充電端子１１が取り付けられている。【００２０】  モータ２から発せられた振動はリーマ３の挿着部３０を介して針部３１に伝えられる。従って針部３１を虫歯となっている箇所に当てるだけで、振動によって容易に根管を切削したり神経を抜いたりすることが出来るのである。
【実施例２】
【００２１】  図３及び図４で表したこの実施例のリーマ３用の電動式駆動具４は、電源スイッチ２７を押下すると、ハンドル側筐体４０の内部に収められた一時電池２５（図３では示さず）からの電力の供給を受けた、振動側筐体４２の内部に収められたモータ２が駆動されるように構成されている。一次電池２５は蓋部４１を取ることでハンドル側筐体４０内に納めたり取り出したりすることが出来る。【００２２】  モータ２はハンドル側筐体４０の側にではなく振動側筐体４２の側に納められている。ハンドル側筐体４０と振動側筐体４２とは、蛇腹４５とその内側の図示しないコイルバネとで接続されている。コイルバネは振動側筐体４２のモータ２により発生した振動を低減して、ハンドル側筐体４０に伝わりにくくするための機構である。【００２３】  ハンドル側筐体４０には上記一次電池２５と制御回路２６とが納められている。振動側筐体４２には上記モータ２が納められている。両者は蛇腹４５内を通したリード線（図示せず）で電気的に結ばれている。ハンドル側筐体４０の側に取り付けられている電源スイッチ２７が押される毎に制御回路２６は回転数を変えて（振動周波数を変えて）モータ２を駆動する。モータ２に電力が供給されている内は電源ランプ２８が点灯する。【００２４】  振動側筐体４２には、その先端部に挿着穴４３が、またその側面部に挿着穴４４が設けられている。どちらも図示しないゴム製のチャックを備えており、リーマ３の挿着部３０をきつく装着させることが出来るようになっている。挿着穴４３を使用するか挿着穴４４を使用するかは歯科医師の自由である。施術時の使用の状況に合わせてどちらにリーマ３を装着するか決めれば良い。
【実施例３】
【００２５】  図５で表したこの実施例は、電動式振動発生部が超音波振動発生装置である点が特徴である。すなわち制御回路５の電源スイッチ５０がＯＮ状態になると、二次電池５２からの電力の供給を受けた超音波振動発生装置５１によって超音波振動子（図示せず）が駆動されて超音波振動を発生して、これがリーマ３の針部３１を振動させる。次に電源スイッチ５０がＯＦＦ状態になると、超音波振動発生装置５１が動作を停止して超音波振動の発生が止まる。制御回路５はこのような制御を行うように設定されている。
【実施例４】
【００２６】  この実施例の電動式駆動具６を図６に表す。筐体６０の先は支持部６１となっており、支持部６１にはリーマ３が取り付けられるようにした頭部６３が回動自在に支持されている。支持部６１には嵌合孔６２が開口されており、この嵌合孔６２には頭部６３の回動軸６４が嵌め合わされて回動自在となっている。また頭部６３にはリーマ３の挿着部３０の挿着穴６５が設けられており、この挿着穴６５にはバネ６６により付勢されたボール６７が突出している。従って挿着穴６５にリーマ３の挿着部３０が挿入されると、挿着部３０はボール６７に押し付けられるようになり、きつく装着されるようになっている。このためリーマ３は頭部６３に対して着脱自在ではあるものの、重錘２１の振動くらいでは頭部６３から外れることは難しい。【００２７】  またこの電動式駆動具６によれば、頭部６３が筐体６０に対して回動自在に支持されているため、歯科医師はリーマ３の針部３１の向きを、頭部６３の角度を変えることで調節することが出来るようになっている。【００２８】  なおモータ２は筐体６０の側に納められており、この筐体６０に入りボタン６８と切りボタン６９とが取り付けられている。入りボタン６８が押されると筐体６０の内部に収められている図示しない電源電池から電力の供給を受けたモータ２が駆動され、このモータ２の回転軸２０には重錘２１が偏心状態で取り付けられており、回転軸２０の回転に伴って振動を発生する。次に切りボタン６９の方が押されると電源スイッチはＯＦＦ状態となるように構成されている。
【実施例５】
【００２９】  この筒状の振動側筐体７はその周りに振動吸収ゴム７２が巻かれており、振動側筐体７は振動低減手段としての振動吸収ゴム７２を介してハンドル側筐体８の中に収められている（振動側筐体７がハンドル側筐体８に内包されている）。ここで特に重要な点は振動側筐体７に設けられた挿着穴７１にきつく装着されたリーマ３の挿着部３０は、ハンドル側筐体８の中から外に出る所でハンドル側筐体８に設けられた開口部８０には触れないように設計されていることである。なお符号７０は振動側筐体７の内部に設けられている所のモータ室である。【００３０】  振動側筐体７から発せられた振動は、振動吸収ゴム７２の介在によってハンドル側筐体８には伝わり難く、リーマ３の針部３１には効率的に伝えられる。この際にリーマ３は、挿着部３０の直径よりも大きな開口部８０には触れていないために、ハンドル側筐体８に振動を伝えることはない。
【産業上の利用可能性】
【００３１】  この発明は上述した実施例にのみ限定されるものではない。例えば電動式振動発生部には上述した電動モータとその回転軸に偏心状態で取り付けられた重錘とからなる振動発生装置や磁石の吸引反発力を利用するリニア振動発生装置や超音波振動発生装置以外にも、ゼンマイの捲き戻りを利用する機械的振動発生装置などを組み込むようにすることが可能である。
【符号の説明】
【００３２】１    電動式駆動具      １０  ハンドル側筐体    １１  充電端子
１２  振動側筐体        １３  装着部            １４  挿着穴
２    モータ            ２０  回転軸            ２１  重錘
２２  接続端子          ２３  電源スイッチ      ２４  二次電池
２５  一次電池          ２６  制御回路          ２７  電源スイッチ
２８  電源ランプ
３    リーマ            ３０  挿着部            ３１  針部
４    電動式駆動具      ４０  ハンドル側筐体    ４１  蓋部
４２  振動側筐体        ４３  挿着穴            ４４  挿着穴
４５  蛇腹
５    制御回路          ５０  電源スイッチ      ５１  超音波振動発生装置
５２  二次電池
６    電動式駆動具      ６０  筐体              ６１  支持部
６２  嵌合孔            ６３  頭部              ６４  回動軸
６５  挿着穴            ６６  バネ              ６７  ボール
６８  入りボタン        ６９  切りボタン
７    振動側筐体        ７０  モータ室          ７１  挿着穴
７２  振動吸収ゴム
８    ハンドル側筐体    ８０  開口部
【図１】
2018192222.tif 000003
【図２】
2018192222.tif 000004
【図３】
2018192222.tif 000005
【図４】
2018192222.tif 000006
【図５】
2018192222.tif 000007
【図６】
2018192222.tif 000008
【図７】
2018192222.tif 000009